【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
少なくとも第一及び第二コンテンツを含む複数のコンテンツで構成される統合コンテン
ツを出力するコンテンツ出力装置であり、
第一コンテンツには第一電子透かしが埋め込まれており、
第二コンテンツには当該第一電子透かしを解除可能な第一鍵が埋め込まれており、
当該第二コンテンツから当該第一鍵を検出する検出部と、
当該第一鍵に基づいて当該第一電子透かしを解除する解除部と、
当該統合コンテンツを出力する出力部と
を備えるコンテンツ出力装置。
【請求項２】
前記第二コンテンツには第二電子透かしが埋め込まれており、
前記第一コンテンツには当該第二電子透かしを解除可能な第二鍵が埋め込まれており、
前記検出部は、当該第一コンテンツから当該第二鍵を検出し、
前記解除部は、当該第二鍵に基づいて当該第二電子透かしを解除する請求項１に記載のコンテンツ出力装置。
【請求項３】
前記第一電子透かしは、出力される第一コンテンツの知覚を妨げる請求項１又は２に記載のコンテンツ出力装置。
【請求項４】
前記第一電子透かしは、複数種類存在し、出力される第一コンテンツの知覚を妨げる態様が第一電子透かし毎にそれぞれ異なる請求項１乃至３のいずれかに記載のコンテンツ出力装置。
【請求項５】
前記第一鍵は、電子透かしとして第二コンテンツに埋め込まれる請求項１乃至４のいずれかに記載のコンテンツ出力装置。
【請求項６】
前記電子透かしとしての第一鍵は、出力される第二コンテンツの知覚を妨げない請求項５に記載のコンテンツ出力装置。
【請求項７】
前記出力部は、第一コンテンツと第二コンテンツとを同期させて出力する請求項１乃至６のいずれかに記載のコンテンツ出力装置。
【請求項８】
前記第一及び第二コンテンツは出力シーン毎に区分され、
当該第一コンテンツのある区分には前記第一電子透かしが埋め込まれており、当該第一コンテンツのある区分に対応する第二コンテンツの区分には当該第一電子透かしを解除可能な第一鍵が埋め込まれており、
前記検出部は、当該第二コンテンツの対応する区分から当該第一鍵を検出し、
前記解除部は、当該第一鍵に基づいて当該第一コンテンツのある区分の当該第一電子透かしを解除する請求項１乃至７のいずれかに記載のコンテンツ出力装置。
【請求項９】
前記第一コンテンツは複数の静止画データであり、前記出力シーンは各静止画データの表示時間である請求項８に記載のコンテンツ出力装置。
【請求項１０】
前記第一コンテンツは動画データ及び／又は音声データであり、前記出力シーンは当該動画データ及び／又は音声データの一部の再生時間である請求項８に記載のコンテンツ出
力装置。
【請求項１１】
ユーザに応じて前記複数のコンテンツの一部又は全部の出力を制限する制御部を備える請求項１乃至１０のいずれかに記載のコンテンツ出力装置。
【請求項１２】
ユーザの知覚許可レベルを示すユーザ許可情報を記憶し、当該ユーザ許可情報に基づいて前記第一電子透かしを解除させるか否かを制御する制御部を備える請求項１乃至１１のいずれかに記載のコンテンツ出力装置。
【請求項１３】
ユーザの知覚許可レベルを示すユーザ許可情報を記憶し、当該ユーザ許可情報に基づいて前記複数種類の第一電子透かしのいずれを解除させるかを制御する制御部を備える請求
項４に記載のコンテンツ出力装置。
【請求項１４】
コンピュータを、
少なくとも第一及び第二コンテンツを含む複数のコンテンツで構成される統合コンテン
ツを出力するコンテンツ出力装置として機能させるためのプログラムであり、
第一コンテンツには第一電子透かしが埋め込まれており、
第二コンテンツには当該第一電子透かしを解除可能な第一鍵が埋め込まれており、
当該コンピュータに、
当該第二コンテンツから当該第一鍵を検出させる第一検出機能と、
当該第一鍵に基づいて当該第一電子透かしを解除させる第一解除機能と
を実現させるコンピュータプログラム。
【請求項１５】
複数のコンテンツを配信するサーバと、
ネットワークを介して当該複数のコンテンツを受信し、出力するクライアントとを備え
るコンテンツ配信出力システムであり、
当該サーバは、
複数のコンテンツを記憶する記憶部を備え、
当該複数のコンテンツには少なくとも第一及び第二コンテンツを含み、
当該第一コンテンツには第一電子透かしが埋め込まれており、
当該第二コンテンツには当該第一電子透かしを解除可能な第一鍵が埋め込まれており
当該クライアントは、
当該第二コンテンツから当該第一鍵を検出する検出部と、
当該第一鍵に基づいて当該第一電子透かしを解除する解除部と、
当該複数のコンテンツで構成される統合コンテンツを出力する出力部と
を備えるコンテンツ配信出力システム。
【請求項１６】
前記サーバとして、第一コンテンツを配信する第一サーバと、第二コンテンツを配信す
る第二サーバとを有し、
前記クライアントは、ネットワークを介して少なくとも第一及び第二コンテンツを受信
し、当該第一及び第二コンテンツを含む複数のコンテンツで構成される統合コンテンツと
して出力する請求項１５に記載のコンテンツ配信出力システム。
【請求項１７】
前記クライアントは、当該クライアントのユーザを特定するユーザ特定情報を前記サー
バに送信し、
当該サーバは、当該ユーザ特定情報に基づいて当該ユーザの知覚許可レベルを示すユー
ザ許可情報を当該クライアントに送信し、
当該クライアントは、当該ユーザ許可情報に基づいて前記第一電子透かしを解除させる
か否かを制御する制御部を備える請求項１５又は１６に記載のコンテンツ配信出力システム。
【請求項１８】
前記サーバから前記クライアントへ送信されるユーザ許可情報が平文である請求項１７に記載のコンテンツ配信出力システム。
【請求項１９】
少なくとも第一及び第二コンテンツを含む複数のコンテンツで構成される統合コンテン
ツを出力するコンテンツ出力方法であり、
第一コンテンツには第一電子透かしが埋め込まれており、
第二コンテンツには当該第一電子透かしを解除可能な第一鍵が埋め込まれており、
当該第二コンテンツから当該第一鍵を検出する第一検出ステップと、
当該第一鍵に基づいて当該第一電子透かしを解除する第一解除ステップと、
当該統合コンテンツを出力する出力ステップと
を備えるコンテンツ出力方法。
【請求項２０】
前記第二コンテンツには第二電子透かしが埋め込まれており、
前記第一コンテンツには当該第二電子透かしを解除可能な第二鍵が埋め込まれており、
当該第一コンテンツから当該第二鍵を検出する第二検出ステップと、
当該第二鍵に基づいて当該第二電子透かしを解除する第二解除ステップと
を備える請求項１９に記載のコンテンツ出力方法。
【請求項２１】
前記出力ステップは、第一コンテンツと第二コンテンツとを同期させて出力する請求項１９または２０に記載のコンテンツ出力方法。
【請求項２２】
前記第一及び第二コンテンツは出力シーン毎に区分され、
当該第一コンテンツのある区分には前記第一電子透かしが埋め込まれており、当該第一コンテンツのある区分に対応する第二コンテンツの区分には当該第一電子透かしを解除可
能な第一鍵が埋め込まれており、
前記第一検出ステップは、当該第二コンテンツの対応する区分から当該第一鍵を検出し、
前記第一解除ステップは、当該第一鍵に基づいて当該第一コンテンツのある区分の当該第一電子透かしを解除する請求項１９乃至２１のいずれかに記載のコンテンツ出力方法。
【請求項２３】
ユーザに応じて前記複数のコンテンツの一部又は全部の出力を制限する制御ステップを
備える請求項１９乃至２２のいずれかに記載のコンテンツ出力方法。
【請求項２４】
ユーザの知覚許可レベルを示すユーザ許可情報を記憶する記憶ステップと、
当該ユーザ許可情報に基づいて前記第一電子透かしを解除させるか否かを制御する制御ステップと
を備える請求項１９乃至２３のいずれかに記載のコンテンツ出力方法。
【請求項２５】
前記第一電子透かしは、複数種類存在し、出力される第一コンテンツの知覚を妨げる態
様が当該第一電子透かし毎にそれぞれ異なり、
ユーザの知覚許可レベルを示すユーザ許可情報を記憶する記憶ステップと、
当該ユーザ許可情報に基づいて前記複数種類の第一電子透かしのいずれを解除させるか
を制御する制御ステップと
を備える請求項１９乃至２４のいずれかに記載のコンテンツ出力方法。